(57)【要約】【課題】  家具用脚端具の使い勝手を向上させる。【解決手段】  家具用脚端具３０は、椅子１の脚部１０の下端に取り付けられ、合成樹脂からなる脚端具本体４０と、脚端具本体４０に対して後付可能に設けられ、脚端具本体４０に取り付けられた状態で脚端具本体４０に代わり床面と接地する接地部５２がフェルトからなる後付部材５０とを備える。これによれば、後付部材５０が脚端具本体４０に対して後付可能で、かつ、接地部５２の素材と脚端具本体４０の素材とが異なる素材であるので、後付部材５０の使用の有無により床面の素材に適した家具用脚端具３０の接地面を提供することができる。したがって、家具用脚端具３０の使い勝手を向上させることができる。【選択図】図４
2010005285.tif 000002
【特許請求の範囲】
【請求項１】
家具の脚部に取り付けられる家具用脚端具であって、
前記脚部の下端に取り付けられ、少なくとも床面との接地面が弾性体からなる脚端具本体と、
前記脚端具本体に対して後付可能に設けられ、少なくとも、前記脚端具本体に取り付けられた状態で前記脚端具本体に代わり床面と接地する接地面が、前記弾性体よりも柔らかい素材からなる後付部材と
を備えたことを特徴とする家具用脚端具。
【請求項２】
前記脚端具本体には、前記後付部材を部分的に差し込み可能な開口が形成され、
前記後付部材には、前記後付部材が前記開口に差し込まれた状態で前記開口内に配置される後付側嵌合部が形成され、
前記脚端具本体の開口内には、前記後付側嵌合部に嵌合するための本体側嵌合部が形成されていること
を特徴とする請求項１に記載の家具用脚端具。
【請求項３】
脚部を有する家具であって、
請求項１又は請求項２に記載の家具用脚端具を備えたこと
を特徴とする家具。
【請求項４】
前記脚部に形成され、前記脚端具本体を前記脚部に固定するためのネジが挿入可能なネジ孔と、
前記脚部に形成され、前記脚端具本体の一部が入り込むことが可能な凹部と、
前記脚端具本体に形成され、前記ネジが挿入可能なネジ挿入口と、
前記脚端具本体に形成され、前記凹部に入り込むことが可能な凸部と
を有していることを特徴とする請求項３に記載の家具。
【請求項５】
家具の脚部の下端に取り付けられて少なくとも床面との接地面が弾性体からなる脚端具本体に対して後付可能に設けられ、
少なくとも、前記脚端具本体に取り付けられた状態で前記脚端具本体に代わり床面と接地する接地面が、前記弾性体よりも柔らかい素材からなること
を特徴とする後付部材。
【発明の詳細な説明】
【技術分野】
【０００１】
本発明は、家具の脚部下端に取り付けられる家具用脚端具に関する。
【背景技術】
【０００２】
従来より、椅子や机等の家具の脚部下端に取り付けられ、この家具の移動時に脚部が床面を傷つけてしまうのを防止したり、家具の移動時に脚部と床面との間で生じる引き摺り音を低減したりするための家具用脚端具が知られている。
【０００３】
そして、この種の家具用脚端具としては、床面と接地する接地体がフェルトにて構成されたものが知られている（例えば、特許文献１参照）。そして、特許文献１に記載の発明では、接地体が脚端具本体に対して取り外し可能に構成されているので、接地体が劣化して交換時期になった場合に、家具用脚端具全体ではなく、接地体のみを交換することで対応することができる。
【特許文献１】特許第４０２９９２３号
【発明の開示】
【発明が解決しようとする課題】
【０００４】
ところで、特許文献１に記載の発明では、接地体（床面との接地面）がフェルトにて構成されているので、プラスチックタイルよりも柔らかいフローリング等の素材で床面が構成されている場合でも、床面に傷がついてしまうのを防止したり、引き摺り音を低減したりすることができる。
【０００５】
しかし、フローリングよりも更に柔らかいカーペット等の素材で床面が構成されている場合には、床面がフローリングの場合に比べて、床面と接地体（フェルト）との摩擦が大きくなるので、接地体が床面に引っ掛かってしまうことがある。
【０００６】
このように接地体が床面に引っ掛かってしまうと、使用者が家具を引き摺らせて移動させる際に家具が動きにくいという問題や、使用者が家具にぶつかった時に、その家具が滑ることなく床に引っ掛かりそのまま転倒してしまうという問題が生じる。
【０００７】
本発明は、上記点に鑑み、家具用脚端具の使い勝手を向上させることを目的とする。
【課題を解決するための手段】
【０００８】
上記目的を達成するためになされた請求項１に記載の発明は、家具の脚部に取り付けられる家具用脚端具であって、脚部の下端に取り付けられ、少なくとも床面との接地面が弾性体からなる脚端具本体と、脚端具本体に対して後付可能に設けられ、脚端具本体に取り付けられた状態で脚端具本体に代わり床面と接地する接地面が、弾性体よりも柔らかい素材からなる後付部材とを備えたことを特徴とする。
【０００９】
以上のような請求項１に記載の発明では、脚端具本体における床面との接地面が弾性体にて構成されているので、後付部材が脚端具本体に取り付けられていない状態でも、プラスチックタイル（ビニール材）等の一般的な床面では傷がついてしまうのをある程度防止することができる。
【００１０】
そして特に、請求項１に記載の発明では、後付部材が脚端具本体に対して後付可能で、かつ、後付部材における床面との接地面の素材は、脚端具本体における床面との接地面の素材とは異なる素材であるので、後付部材の使用の有無により床面の素材に適した家具用脚端具の接地面を提供することができる。したがって、家具用脚端具の使い勝手を向上させることができる。
【００１１】
つまり、請求項１に記載の発明によれば、例えば、フローリング等の傷がつきやすい素材で床面が構成されている場合には、後付部材を脚端具本体に取り付けた状態で家具用脚端具（延いては家具）を使用することで、床面に傷がついてしまうのを防止したり引き摺り音を低減したりすることができる。一方、フローリングよりも更に柔らかいカーペット等の素材で床面が構成されている場合には、後付部材を脚端具本体に取り付けない状態で家具用脚端具を使用することで、家具が床面に引っ掛かってしまうことを抑制することができる。したがって、家具用脚端具の使い勝手を向上させることができる。
【００１２】
また、請求項１に記載の発明では、後付部材が脚端具本体に対して後付可能であるので、脚端具本体が取り付けられた家具として製造し、その家具を半製品として在庫しておき、その受注先（客先）の床面の素材により例えば後付部材を脚端具本体に取り付けて出荷することで、在庫量を圧縮することができる。
【００１３】
また、請求項１に記載の発明では、後付部材が脚端具本体に対して後付可能であるので、上記家具の売却後に、家具用脚端具が取り付けられた家具の使用場所における床面の素材が、例えばプラスチックタイルからフローリングに変更されたとしても、家具の使用者は、自分自身で後付部材を脚端具本体に取り付けることができる。
【００１４】
ところで、後付部材は、単に脚端具本体に覆い被さることで取り付けられる蓋型に構成されていてもよい。しかし、この場合、後付部材が脚端具本体に取り付けられると、後付部材の高さ（厚さ）が家具の高さに加わることとなるので、後付部材使用時における家具全体の高さは、後付部材未使用時における家具全体の高さに対して、後付部材の高さ分だけ高くなってしまう。
【００１５】
そこで、請求項１に記載の発明は、請求項２に記載のように、後付部材を部分的に差し込み可能な開口が脚端具本体に形成され、後付部材が開口に差し込まれた状態で開口内に配置される後付側嵌合部が後付部材に形成され、後付側嵌合部に嵌合するための本体側嵌合部が脚端具本体の開口内に形成されているとよい。
【００１６】
これによれば、脚端具本体に取り付けられた状態の後付部材は、脚端具本体に対して単に覆い被さるのではなく、後付部材の所定部分が脚端具本体の開口（内部）に部分的に埋め込まれることとなるので、後付部材が蓋型に構成されていた場合に比べて、後付部材使用時における家具全体の高さと、後付部材未使用時における家具全体の高さとの差を小さくすることができる。
【００１７】
また、請求項２に記載の発明では、後付部材を脚端具本体の開口に差し込むだけで、本体側嵌合部が後付側嵌合部に嵌合するので、工具を使用することなく簡単に後付部材を脚端具本体に取り付けることができる。
【００１８】
また、請求項２に記載の発明では、後付部材の後付側嵌合部が開口内で本体側嵌合部に嵌合するので、後付部材が脚端具本体に取り付けられた状態において、後付部材のうち、脚端具本体の開口に埋め込まれた部分は脚端具本体の開口を形成する部位に囲まれることとなる。
【００１９】
これに対して、後付部材が蓋型に構成された家具用脚端具は、後付部材が単に脚端具本体に覆い被さることで取り付けられる構成である。したがって、請求項２に記載の発明によれば、後付部材が蓋型に構成された家具用脚端具に比べて、後付部材が簡単に外れてしまうことを防止することができる。
【００２０】
次に、請求項３に記載の発明は、脚部を有する家具であって、請求項１又は請求項２に記載の家具用脚端具を備えたことを特徴とする。
これによれば、後付部材が脚端具本体に対して後付可能で、かつ、後付部材における床面との接地面の素材と、脚端具本体における床面との接地面の素材とが異なる素材であるので、上述した請求項１と同様の効果を得ることができる。
【００２１】
また、請求項４に記載の発明は、請求項３に記載の発明において、脚部に形成され、脚端具本体を脚部に固定するためのネジが挿入可能なネジ孔と、脚部に形成され、脚端具本体の一部が入り込むことが可能な凹部と、脚端具本体に形成され、ネジが挿入可能なネジ挿入口と、脚端具本体に形成され、凹部に入り込むことが可能な凸部とを有していることを特徴とする。
【００２２】
これによれば、脚端具本体は家具に対してネジ一本で二ヵ所以上に取り付けられることとなるので、脚端具本体が家具に取り付けられた状態で脚端具本体が動いてしまうのを簡単な構成で防止することができる。
【００２３】
請求項５に記載の後付部材は、家具の脚部の下端に取り付けられて少なくとも床面との接地面が弾性体からなる脚端具本体に対して後付可能に設けられ、少なくとも、脚端具本体に取り付けられた状態で脚端具本体に代わり床面と接地する接地面が、弾性体よりも柔らかい素材からなることを特徴とする。
【００２４】
これによれば、後付部材が脚端具本体に対して後付可能で、かつ、後付部材における床面との接地面の素材と、脚端具本体における床面との接地面の素材とが異なる素材であるので、上述した請求項１と同様の効果を得ることができる。
【発明を実施するための最良の形態】
【００２５】
以下に本発明の実施形態を図面と共に説明する。
（第１実施形態）
１．椅子１の構成
図１は本実施形態の椅子１の斜視図であり、図２は図１（ｂ）のＡＡ断面図である。また、図３は図１（ｂ）のＢＢ断面図であり、図４は本実施形態の脚端具３０の斜視図である。
【００２６】
本実施形態の椅子１は、図１（ａ）及び図１（ｂ）に示すように、脚部１０、座部１２、及び、背凭れ部１４を有して構成されており、この椅子１の脚部１０には、本発明の特徴部分である脚端具３０が取り付けられている。なお、座部１２及び背凭れ部１４の構成は、周知のものと同様であるので、詳細な説明は省略する。
【００２７】
脚部１０は、図１（ａ）及び図１（ｂ）に示すように、一本の金属製のパイプ（例えば、スチールパイプ等）が略ロの字状に折り曲げられることで構成された右脚１６、同じく一本の金属製のパイプが略ロの字状に折り曲げることで構成された左脚１８、及び、各脚１６，１８を結合する前後一対の脚結合部材２０を有して構成されている。
【００２８】
そして、各脚１６，１８の下端には、図１（ａ）及び図１（ｂ）に示すように、脚端具３０が２つずつ取り付けられている。
具体的に説明すると、脚端具３０は、右脚１６の下端前方側、右脚１６の下端後方側、左脚１８の下端前方側、及び、左脚１８の下端後方側の４ヶ所に取り付けられている。そして、各脚１６，１８における脚端具３０の取付位置には、図２に示すように、脚端具３０の一部（詳しくは、後述の凸部４２）が入り込むことが可能な位置決め孔２２、及び、脚端具３０（詳しくは、後述の脚端具本体４０）を脚部１０に固定するためのネジ３が挿入可能なネジ孔２４がそれぞれ形成されている。
【００２９】
脚端具３０は、椅子１の移動時に脚部１０が床面を傷つけてしまうのを防止したり、椅子１の移動時に脚部１０と床面との間で生じる引き摺り音を低減したりするためのものであり、この脚端具３０は、図２〜図４に示すように、脚部１０の下端に取り付けられる脚端具本体４０、及び、脚端具本体４０に対して後付可能に設けられた後付部材５０を有して構成されている。
【００３０】
脚端具本体４０は、弾性体（本実施形態では合成樹脂）にて一体成形されている。そして、図２に示すように、脚端具本体４０の一端側には、脚部１０の位置決め孔２２に入り込むことが可能な凸部４２が形成されており、他端側には、上記ネジ３が挿入可能なネジ挿入口４４が形成されている。また、脚端具本体４０には、図４に示すように、凸部４２とネジ挿入口４４との間に、後付部材５０を部分的に差し込み可能な略四角形状の開口４６が形成されている。
【００３１】
また、開口４６内には、図３に示すように、後付部材の一部（後述の爪５６）が嵌合するための嵌合部４８が形成されている。嵌合部４８は、開口４６を形成する壁部の略中央部分から開口４６の内部へ向かって突出した突起である。
【００３２】
後付部材５０は、図２〜図４に示すように、脚端具本体４０に取り付けられた状態で脚端具本体４０に代わり床面と接地する接地部５２、及び、脚端具本体４０に取り付けられた状態で脚端具本体４０の開口４６内に配置される結合部５４を有して構成されている。
【００３３】
ここで、本実施形態では、後付部材５０が脚端具本体４０に取り付けられていない状態では、脚端具本体４０の下端が床面との接地面となる。そして、後付部材５０が脚端具本体４０に取り付けられた状態では、図２及び図３に示すように、後付部材５０の下端（接地部５２と床面との接地面）が、脚端具本体４０の下端よりも床側（椅子１の座部１２側とは反対側）に配置される。なお、図１（ａ）及び図１（ｂ）では、後付部材５０の記載を省略している。
【００３４】
また、接地部５２は、脚端具本体４０を構成する素材（本実施形態では合成樹脂）よりも柔らかい素材（本実施形態ではフェルト）にて構成されており、結合部５４は、合成樹脂にて構成されている。
【００３５】
また、結合部５４には、図３及び図４に示すように、結合部５４が脚端具本体４０の開口４６に差し込まれた状態で脚端具本体４０の嵌合部４８に嵌合する（引っ掛かる）一対の爪５６が形成されている。つまり、一対の爪５６は、後付部材５０が脚端具本体４０に取り付けられた状態で脚端具本体４０の内部に配置される。
【００３６】
また、図２及び図３に示すように、後付部材５０が脚端具本体４０に取り付けられた状態では、結合部５４の下端と脚端具本体４０の下端との位置関係が略同一となるようにされている。
【００３７】
２．脚端具３０の取付方法
以上のように構成された本実施形態の脚端具３０は、例えば、以下の手順で椅子１の脚部１０に取り付けられる。
【００３８】
すなわち、図２に示すように、脚端具本体４０の凸部４２を脚部１０の位置決め孔２２に挿入し、この状態で脚端具本体４０のネジ挿入口４４及び脚部１０のネジ孔２４にネジ３を挿入する。これにより、脚端具本体４０を椅子１の脚部１０に取り付けることができる。
【００３９】
また、後付部材５０を脚端具本体４０に取り付ける場合には、図３に示すように、後付部材５０の一対の爪５６が開口４６内に形成された嵌合部４８に引っ掛かる（嵌合する）位置まで結合部５４を開口４６に差し込むだけでよい。
【００４０】
なお、後付部材５０は、脚端具本体４０が椅子１（脚部１０）に取り付けられた後に脚端具本体４０に取り付けられてもよいし、脚端具本体４０が椅子１に取り付けられる前に脚端具本体４０に取り付けられてもよい。
【００４１】
３．本実施形態の特徴
以上説明ように、本実施形態では、脚端具本体４０が弾性体（本実施形態では合成樹脂）にて構成されているので、後付部材５０が脚端具本体４０に取り付けられていない状態でも、プラスチックタイル等の一般的な床面では傷がついてしまうのをある程度防止することができる。
【００４２】
そして特に、本実施形態では、後付部材５０が脚端具本体４０に対して後付可能で、かつ、後付部材５０における床面との接地面の素材（本実施形態ではフェルト）と、脚端具本体４０における床面との接地面の素材とが異なる素材（本実施形態では合成樹脂）であるので、後付部材５０の使用の有無により床面の素材に適した脚端具３０の接地面を提供することができる。したがって、脚端具３０の使い勝手を向上させることができる。
【００４３】
つまり、本実施形態によれば、例えば、フローリング等の傷がつきやすい素材で床面が構成されている場合には、後付部材５０を脚端具本体４０に取り付けた状態脚端具３０（延いては椅子１）を使用することで、床面に傷がついてしまうのを防止したり引き摺り音を低減したりすることができる。一方、フローリングよりも更に柔らかいカーペット等の素材で床面が構成されている場合には、後付部材５０を脚端具本体４０に取り付けない状態で脚端具３０を使用することで、椅子１（接地面）が床面に引っ掛かってしまうことを抑制することができる。したがって、脚端具３０の使い勝手を向上させることができる。
【００４４】
また、本実施形態では、後付部材５０が脚端具本体４０に対して後付可能であるので、脚端具本体４０が取り付けられた椅子１として製造し、その椅子１を半製品として在庫しておき、その受注先（客先）の床面の素材により例えば後付部材５０を脚端具本体４０に取り付けて出荷することで、在庫量を圧縮することができる。
【００４５】
また、本実施形態では、後付部材５０が脚端具本体４０に対して後付可能であるので、この椅子１の売却後に、脚端具３０が取り付けられた椅子１の使用場所における床面の素材が、例えばプラスチックタイルからフローリングに変更されたとしても、椅子１の使用者は、自分自身で後付部材５０を脚端具本体４０に取り付けることができる。
【００４６】
また、本実施形態によれば、脚端具本体４０に取り付けられた状態の後付部材５０は、脚端具本体４０に対して単に覆い被さるのではなく、所定部分（結合部５４）が脚端具本体４０の開口４６（内部）に部分的に埋め込まれるので、後付部材５０が蓋型に構成されていた場合に比べて、後付部材５０使用時における椅子１全体の高さと、後付部材５０未使用時における椅子１全体の高さとの差を小さくすることができる。
【００４７】
また、本実施形態では、脚端具本体４０が椅子１の脚部１０に対して一本のネジ３で二ヵ所に取り付けられるので、脚端具本体４０が椅子１に取り付けられた状態で脚端具本体４０が動いてしまうのを簡単な構成で防止することができる。
【００４８】
また、本実施形態では、脚端具本体４０の開口４６は略四角形状に形成されているので、後付部材５０が脚端具本体４０に取り付けられた状態では、結合部５４の周囲が脚端具本体４０の開口４６を形成する壁部に囲まれることとなる。したがって、この状態で椅子１を床面上で移動させたり、脚端具３０に靴等のつま先部分が当たったりしたとしても、後付部材５０が簡単に外れてしまうことを防止することができる。
【００４９】
また、本実施形態では、後付部材５０を脚端具本体４０の開口４６に差し込んで、後付部材５０の爪５６を脚端具本体４０の嵌合部４８に嵌合させることにより後付部材５０が脚端具本体４０に固定されるので、工具を使用することなく後付部材５０を脚端具本体４０に取り付けることができ、客先（売却先）等での後付部材５０の取付作業が簡便である。
【００５０】
４．発明特定事項と実施形態との対応関係
本実施形態では、位置決め孔２２が特許請求の範囲に記載された凹部に相当し、爪５６が特許請求の範囲に記載された後付側嵌合部に相当し、嵌合部４８が特許請求の範囲に記載された本体側嵌合部に相当する。
【００５１】
（第２実施形態）
上記実施形態では、脚端具３０が取り付けられる家具として椅子１を例に挙げて説明したが、本実施形態では、脚端具７０が取り付けられる家具として、学習机５を例に挙げて説明する。
【００５２】
なお、図５は本実施形態の学習机５の斜視図であり、図６は本実施形態の脚端具７０の斜視図である。また、図７は図６のＣＣ断面図であり、図８は本実施形態の後付部材９０の取り付け方法を説明する説明図である。
【００５３】
１．学習机５の構成
本実施形態の学習机５は、図５に示すように、略直方体の天板６０及び脚部６２等を有して構成されており、この学習机５の脚部６２には、本発明の特徴部分である脚端具７０が取り付けられている。
【００５４】
脚部６２は、金属製のパイプにて構成されており、この脚部６２は、図５に示すように、略Ｌ字状に形成された右脚６４、及び同じく略Ｌ字状に形成された左脚６６、及び、各脚６４，６６を結合する脚結合部材６８を有して構成されている。
【００５５】
そして、各脚６４，６６の下端には、図５に示すように、脚端具７０が２つずつ取り付けられている。
具体的に説明すると、脚端具７０は、右脚６４の下方前端、右脚６４の下方後端、左脚６６の下方前端、及び、左脚６６の下方後端の４ヶ所に取り付けられている。そして、各脚６４，６６における脚端具７０の取付位置には、図８の破線部分に示すように、脚端具７０（詳しくは、後述の脚端具本体８０）を脚部６２に固定するためのネジ（図示省略）が挿入可能なネジ孔６９がそれぞれ形成されている。
【００５６】
脚端具７０は、学習机５の移動時に脚部６２が床面を傷つけてしまうのを防止したり、学習机５の移動時に脚部６２と床面との間で生じる引き摺り音を低減したりするためのものであり、この脚端具７０は、図５〜図８に示すように、脚部６２の下端に取り付けられる脚端具本体８０、及び、脚端具本体８０に対して後付可能に設けられた後付部材９０を有して構成されている。
【００５７】
脚端具本体８０は、弾性体（本実施形態では合成樹脂）にて一体成形されており、この脚端具本体８０には、図８に示すように、脚部６２の下方前端又は下方後端に取り付けられるカバー部８２、及び、カバー部８２から下方側に突出するように形成され、床面と接地する接地部８４を有して構成されている。
【００５８】
カバー部８２には、図８の破線部分に示すように、脚部６２の中空部分６３に挿入可能な略Ｕ字状の挿入部８８が形成されている。接地部８４には、挿入部８８が脚部６２の中空部分８２に挿入された状態で脚部６２のネジ孔６９と共にネジ留め可能なネジ挿入口８９が形成されている。また、接地部８４の左右両側には、後付部材９０の後述する爪９６が嵌合する（引っ掛かる）ための溝８６が形成されている。
【００５９】
後付部材９０は、図６〜図８に示すように、脚端具本体８０に取り付けられる結合部９２、及び、後付部材９０（結合部９２）が脚端具本体８０に取り付けられた状態で脚端具本体８０の接地部８４に代わり床面と接地する接地部９４を有して構成されている。
【００６０】
つまり、後付部材９０が脚端具本体８０に取り付けられた状態では、後付部材９０の下端（接地部９４と床面との接地面）が、脚端具本体８０の接地部８４の下端よりも床側（学習机５の天板６０側とは反対側）に配置される。
【００６１】
また、後付部材９０の接地部９４は、脚端具本体８０を構成する素材（本実施形態では合成樹脂）よりも柔らかい素材（本実施形態ではフェルト）にて構成されており、結合部９２は、合成樹脂にて構成されている。
【００６２】
また、結合部９２には、図７に示すように、後付部材９０が脚端具本体８０に取り付けられた状態で脚端具本体８０の溝８６に引っ掛かるための左右一対の爪９６が形成されている。
【００６３】
２．脚端具７０の取付方法
以上のように構成された本実施形態の脚端具７０は、例えば、以下の手順で学習机５の脚部６２に取り付けられる。
【００６４】
すなわち、脚端具本体８０の挿入部８８を脚部６２の下方前端又は下方後端の中空部分６３に挿入し、この状態で、接地部８４のネジ挿入口８９、脚部６２のネジ孔６９の順でネジを挿入する。これにより、脚端具本体８０を学習机５の脚部６２に取り付けることができる。
【００６５】
また、後付部材９０を脚端具本体８０に取り付ける場合には、図８に示すように、後付部材９０の左右一対の爪９６を脚端具本体８０の溝８６に引っ掛ける（嵌合させる）ように、後付部材９０を脚端具本体８０に向けて押し込むだけでよい。
【００６６】
なお、後付部材９０は、脚端具本体８０が学習机５（脚部６２）に取り付けられた後に脚端具本体８０に取り付けられてもよいし、脚端具本体８０が学習机５に取り付けられる前に脚端具本体８０に取り付けられてもよい。
【００６７】
３．本実施形態の特徴
以上説明ように、本実施形態においても、上記第１実施形態と同様に、脚端具本体８０が弾性体（本実施形態では合成樹脂）にて構成されているので、後付部材９０が脚端具本体８０に取り付けられていない状態でも、プラスチックタイル等の一般的な床面では傷がついてしまうのをある程度防止することができる。
【００６８】
そして特に、本実施形態では、後付部材９０が脚端具本体８０に対して後付可能で、かつ、後付部材９０における床面との接地面の素材（本実施形態ではフェルト）と、脚端具本体８０における床面との接地面の素材とが異なる素材（本実施形態では合成樹脂）であるので、上記第１実施形態で述べたように、脚端具７０の使い勝手を向上させることができる。
【００６９】
４．発明特定事項と実施形態との対応関係
本実施形態では、カバー部８２の挿入部８８が特許請求の範囲に記載された凸部に相当し、脚部６２の中空部分６３が特許請求の範囲に記載された凹部に相当する。また、爪９６が特許請求の範囲に記載された後付側嵌合部に相当し、溝８６が特許請求の範囲に記載された本体側嵌合部に相当する。
【００７０】
（その他の実施形態）
上記実施形態では、家具として、椅子１及び学習机５を例に挙げて説明したが、本発明はこれに限定されるものではなく、それ以外のもの（例えば、ソファー、電気スタンド、鏡台及びアイロン台等）でもよい。
【００７１】
また、上記実施形態では、後付部材５０，９０の接地部５２，９４の素材がフェルトであったが、後付部材５０，９０の接地部５２，９４の素材は、脚端具本体４０，８０における床面との接地面を構成する素材よりも柔らかい素材であればよく、例えば、ゴムや合成皮革や綿やコルクであってもよい。
【００７２】
また、本発明は、特許請求の範囲に記載された発明の趣旨に合致するものであればよく、上述の実施形態に限定されるものではない。
【図面の簡単な説明】
【００７３】
【図１】第１実施形態の椅子の斜視図である。
【図２】図１（ｂ）のＡＡ断面図である。
【図３】図１（ｂ）のＢＢ断面図である。
【図４】第１実施形態の脚端具の斜視図である。
【図５】第２実施形態の学習机の斜視図である。
【図６】第２実施形態の脚端具の斜視図である。
【図７】図６のＣＣ断面図である。
【図８】第２実施形態の後付部材の取付方法を説明する説明図である。
【符号の説明】
【００７４】
１…椅子、３…ネジ、５…学習机、１０…脚部、１２…座部、１４…背凭れ部、１６…右脚、１８…左脚、２０…脚結合部材、２２…位置決め孔、２４…ネジ孔、３０…脚端具、４０…脚端具本体、４２…凸部、４４…ネジ挿入口、４６…開口、４８…嵌合部、５０…後付部材、５２…接地部、５４…結合部、５６…爪、６２…脚部、６３…中空部分、６４…右脚、６６…左脚、６８…脚結合部材、６９…ネジ孔、７０…脚端具、８０…脚端具本体、８２…カバー部、８４…接地部、８６…溝、８８…挿入部、８９…ネジ挿入口、９０…後付部材、９２…結合部、９４…接地部、９６…爪。
【図１】
2010005285.tif 000003
【図２】
2010005285.tif 000004
【図３】
2010005285.tif 000005
【図４】
2010005285.tif 000006
【図５】
2010005285.tif 000007
【図６】
2010005285.tif 000008
【図７】
2010005285.tif 000009
【図８】
2010005285.tif 000010